(57)【要約】【課題】  顎骨に埋入した際に、アバットメントの顎骨側に突設された突出部の周囲に形成された係合用突起が係合される口腔内側の内面に形成された係合用の複数の凹条溝が変形或いは破損することがなく、アバットメントを係合精度を維持して確実に係合させることができるスクリュー型インプラント用フィクスチャーを提供する。【解決手段】  アバットメントの顎骨側に突設された突出部の周囲に形成された係合用突起が係合される係合用の複数の凹条溝1aが口腔内側の内面に形成されるスクリュー型インプラント用フィクスチャー１を、口腔内側の内面に前記アバットメントとの係合用の複数の凹条溝1aとは別にスクリュー型インプラント用フィクスチャー１を顎骨に埋入する埋入用インスツルメントの先端部に形成されている複数の係合用埋入突起が係合される複数の埋入用凹条溝1bが形成されている構成にする。【選択図】        図１
2006075427.tif 000002
【特許請求の範囲】
【請求項１】
アバットメント(２)の顎骨側に突設された突出部(2a)の周囲に形成された係合用突起(2b)が係合される係合用の凹条溝(1a)が複数個口腔内側の内面に形成されるスクリュー型インプラント用フィクスチャーにおいて、口腔内側の内面に前記アバットメント(２)との係合用の複数の凹条溝(1a)とは別にスクリュー型インプラント用フィクスチャーを顎骨に埋入する埋入用インスツルメント(３)の先端部(3a)に形成されている複数の係合用埋入突起(3b)が係合される複数の埋入用凹条溝(1b)が形成されていることを特徴とするスクリュー型インプラント用フィクスチャー(１)。
【請求項２】
埋入用凹条溝(1b)が、アバットメント(２)との係合用の複数の凹条溝(1a)間に別途形成されている請求項１に記載のスクリュー型インプラント用フィクスチャー(１)。
【請求項３】
埋入用凹条溝(1b)が、アバットメント(２)との係合用の複数の凹条溝(1a)が設けられている位置よりも口腔内側又は顎骨側に別途形成されている請求項１に記載のスクリュー型インプラント用フィクスチャー(１)。
【請求項４】
埋入用凹条溝(1b)が口腔内側に形成され、該埋入用凹条溝(1b)の顎骨側にアバットメント(２)との係合用の凹条溝(1a)が形成されており、該埋入用凹条溝(1b)はアバットメント(２)との係合用の凹条溝(1a)より大きいか又は深い請求項３に記載のスクリュー型インプラント用フィクスチャー(１)。
【発明の詳細な説明】
【技術分野】
【０００１】
本発明は、歯科インプラント治療に用いられるスクリュー型インプラント用フィクスチャーに関するものであり、より詳しくは補綴物の支台となる歯肉を貫通して配設されるアバットメントの顎骨側に突設された突出部の周囲に形成されている係合用突起を係合される係合溝が口腔内側の内面に形成されているスクリュー型インプラント用フィクスチャーに関するものである。
【背景技術】
【０００２】
従来の歯科インプラント治療において顎骨にネジを切りながら埋入される外側面にオネジが螺設されているスクリュー型インプラント用フィクスチャーは、その口腔内側に補綴物の支台となる歯肉を貫通して配設されるアバットメントを回転しないように係合させるために正六角形状等の突起部が形成されており、アバットメントはその顎骨側にスクリュー型インプラント用フィクスチャーの突起部に係合する正六角形状等の凹部が形成されたものが主として利用されてきた。
しかしながら、このようなスクリュー型インプラント用フィクスチャーとアバットメントとを使用すると、アバットメントはその顎骨側にスクリュー型インプラント用フィクスチャーの口腔内側に形成されている突起部に係合する正六角形状等の凹部が形成されたものでなければばらないため、顎間距離が長く取れないような症例や歯肉が薄い部位での審美的な修復が求められる症例などの場合に、アバットメントの高径を低くすると必然的にアバットメントの顎骨側に形成された正六角形状等の凹部の深さが浅くなって当該アバットメントの強度を損なう結果となり、長期間に亘って咬合力に耐え得る補綴物を作製することができない場合があった。
【０００３】
そこで、スクリュー型インプラント用フィクスチャーの口腔内側の内面に係合用の複数の凹条溝を形成し、アバットメントの顎骨側に突設された突出部の周囲に形成された係合用突起をその凹条溝に係合するスクリュー型インプラント装置が提案されている（例えば、特許文献１，特許文献２参照。）。
このようなスクリュー型インプラント用フィクスチャーとアバットメントとを使用すれば、スクリュー型インプラント用フィクスチャーの口腔内側の内面に形成される係合用の複数の凹条溝の深さとアバットメントの顎骨側に突設された突出部の周囲に形成された係合用突起の長さとを長くすることによりスクリュー型インプラント用フィクスチャーとアバットメントとの充分な係合強度を維持したままアバットメントの高径を低くすることはできるが、スクリュー型インプラント用フィクスチャーを顎骨に埋入する際には、スクリュー型インプラント用フィクスチャーの口腔内側の内面に形成されている凹条溝に係合するようにアバットメントの顎骨側に突設された突出部の周囲に係合用突起を形成した形状と略同形状の係合用突起を先端部に形成した埋入用インスツルメントをスクリュー型インプラント用フィクスチャーの口腔内側の内面に形成されている凹条溝に係合させてスクリュー型インプラント用フィクスチャーを回転させて顎骨にメネジを螺設しながら埋入するため、顎骨への埋入時の過大トルクなどによってスクリュー型インプラント用フィクスチャーの口腔内側の内面に形成されていた係合用の複数の凹条溝が変形或いは破損してしまう現象が発生してしまい、アバットメントをスクリュー型インプラント用フィクスチャーの口腔内側の内面に形成されている凹条溝に係合させることができなかったり、係合させることができたとしてもアバットメントのスクリュー型インプラント用フィクスチャーへの係合精度が損なわれて、結果として適合精度の不充分な補綴物を使用せざるを得ない状態となり、短期にスクリュー型インプラント用フィクスチャーの骨吸収を来たし歯科インプラント治療に失敗する例が見られた。
【０００４】
【特許文献１】米国特許第４,９６０,３８１号明細書
【特許文献２】米国意匠特許第４４６,８５９号
【発明の開示】
【発明が解決しようとする課題】
【０００５】
本発明は、前述したアバットメントの顎骨側に突設された突出部の周囲に形成された係合用突起が係合される係合用の複数の凹条溝が口腔内側の内面に形成されているスクリュー型インプラント用フィクスチャーであって、スクリュー型インプラント用フィクスチャーを顎骨に埋入した際に、アバットメントの顎骨側に突設された突出部の周囲に形成された係合用突起が係合される口腔内側の内面に形成された係合用の複数の凹条溝が変形或いは破損することがなく、アバットメントをスクリュー型インプラント用フィクスチャーの口腔内側の内面に形成されている凹条溝に係合精度を維持して確実に係合させることができるスクリュー型インプラント用フィクスチャーを提供することを課題とする。
【課題を解決するための手段】
【０００６】
本発明者らは上記課題を解決すべく鋭意研究の結果、アバットメントの顎骨側に突設された突出部の周囲に形成された係合用突起が係合される係合用の複数の凹条溝が口腔内側の内面に形成されているスクリュー型インプラント用フィクスチャーにおいて、口腔内側の内面に前記係合用の複数の凹条溝とは別にスクリュー型インプラント用フィクスチャーを顎骨に埋入する埋入用インスツルメントの先端部に形成されている複数の係合用埋入突起が係合される複数の埋入用凹条溝を形成しておけばよいことを究明して本発明を完成したのである。
【０００７】
即ち本発明は、アバットメントの顎骨側に突設された突出部の周囲に形成された係合用突起が係合される係合用の複数の凹条溝が口腔内側の内面に形成されているスクリュー型インプラント用フィクスチャーにおいて、口腔内側の内面に前記アバットメントとの係合用の複数の凹条溝とは別にスクリュー型インプラント用フィクスチャーを顎骨に埋入する埋入用インスツルメントの先端部に形成されている複数の係合用埋入突起が係合される複数の埋入用凹条溝が形成されていることを特徴とするスクリュー型インプラント用フィクスチャーである。
【０００８】
このようなスクリュー型インプラント用フィクスチャーの口腔内側の内面に形成されている埋入用凹条溝としては、アバットメントとの係合用の複数の凹条溝間に別途形成されている態様や、アバットメントとの係合用の複数の凹条溝が設けられている位置よりも口腔内側又は顎骨側に別途形成されている態様がある。
この後者の態様の場合には、一般にアバットメントとの係合用の複数の凹条溝に作用するトルクと埋入用インスツルメントとの係合用の複数の埋入用凹条溝に作用するトルクとを比較すると一般に埋入用インスツルメントとの係合用の複数の埋入用凹条溝に作用するトルクの方が大きいので、その大きなトルクに対応するように埋入用凹条溝はアバットメントとの係合用の複数の凹条溝より大きく且つ深いことが好ましいから、埋入用凹条溝が口腔内側に形成され、該埋入用凹条溝の顎骨側にアバットメントとの係合用の凹条溝が形成されており、該埋入用凹条溝はアバットメントとの係合用の凹条溝より大きいか又は深いことが好ましい。
【発明の効果】
【０００９】
前記したように本発明に係るスクリュー型インプラント用フィクスチャーは、口腔内側の内面にアバットメントとの係合用の複数の凹条溝が形成されているので、アバットメントの高径が低くてもスクリュー型インプラント用フィクスチャーの口腔内側の内面に形成されているアバットメントとの係合用の複数の凹条溝にアバットメントの顎骨側に突設された突出部の周囲に形成された係合用突起が係合されるため、このアバットメントの顎骨側に突設された突出部の周囲に形成された係合用突起とスクリュー型インプラント用フィクスチャーの口腔内側の内面に形成されている複数の凹条溝との係合部の長さを長くすることによりアバットメントが充分な強度で係合され、また口腔内側の内面に形成されているアバットメントとの係合用の複数の凹条溝とは別にスクリュー型インプラント用フィクスチャーを顎骨に埋入する埋入用インスツルメントの先端部に形成されている複数の係合用埋入突起が係合される複数の埋入用凹条溝が口腔内側の内面に形成されているので、埋入用インスツルメントによってスクリュー型インプラント用フィクスチャーを顎骨に埋入する際に埋入用インスツルメントの先端部に形成されている複数の係合用埋入突起が係合される複数の埋入用凹条溝が変形或いは破損してもアバットメントとの係合用の複数の凹条溝は変形或いは破損しない状態に維持されるためアバットメントを精度良く係合させることができ、従って補綴物を長期間に亘り安定に機能させることが可能となるのである。
【００１０】
そしてこのようなスクリュー型インプラント用フィクスチャーにおいて、口腔内側の内面にアバットメントとの係合用に形成されている複数の凹条溝とは別に形成されている、スクリュー型インプラント用フィクスチャーを顎骨に埋入する埋入用インスツルメントの先端部に形成されている複数の係合用埋入突起が係合される複数の埋入用凹条溝としては、アバットメントとの係合用の複数の凹条溝間に別途形成されている態様や、アバットメントとの係合用の複数の凹条溝が設けられている位置よりも口腔内側又は顎骨側に別途形成されている態様があり、この後者の態様の場合には埋入用凹条溝はアバットメントとの係合用の複数の凹条溝に作用するトルクより大きな埋入時の大きなトルクに対応するように、埋入用凹条溝が口腔内側に形成され、その埋入用凹条溝の顎骨側にアバットメントとの係合用の凹条溝が形成されており、その埋入用凹条溝はアバットメントとの係合用の凹条溝より大きくか又は深いと、埋入用凹条溝が変形或いは破損し難いのである。
【発明を実施するための最良の形態】
【００１１】
以下、図面により本発明に係るスクリュー型インプラント用フィクスチャーについて詳細に説明する。
図１は本発明に係るスクリュー型インプラント用フィクスチャーの１実施例の断面説明図、図２は図１の平面図、図３は図１に示したスクリュー型インプラント用フィクスチャーの口腔内側に係合せしめられるアバットメントの１実施例を左半分を断面で示す説明図、図４は図３の底面図、図５は図１に示したスクリュー型インプラント用フィクスチャーを顎骨に埋入する埋入用インスツルメントの１実施例の正面図、図６は図５の底面図、図７は本発明に係るスクリュー型インプラント用フィクスチャーの他の実施例の断面説明図、図８は図７の平面図、図９は図７に示したスクリュー型インプラント用フィクスチャーの口腔内側に係合せしめられるアバットメントの１実施例を左半分を断面で示す説明図、図１０は図９の底面図、図１１は図７に示したスクリュー型インプラント用フィクスチャーを顎骨に埋入する埋入用インスツルメントの１実施例の正面図、図１２は図１１の底面図である。
【００１２】
図面中、１は本発明に係るスクリュー型インプラント用フィクスチャーであり、従来の歯科用インプラントフィクスチャーと同様に、生体不活性と強度とを備え且つ骨と良好に結合するチタン金属製であり、口腔内側に連結固定される後述するアバットメント２との相互の回転を防止するためアバットメント２の顎骨側に突設された突出部2aの周囲に形成された係合用突起2bが係合される係合用の複数の凹条溝1aが口腔内側の内面に形成されていると共に、口腔内側の内面に前記アバットメント２との係合用の複数の凹条溝1aとは別にスクリュー型インプラント用フィクスチャー１を顎骨に埋入するための後述する埋入用インスツルメント３の先端部に形成されている複数の係合用埋入突起3bが係合される複数の埋入用凹条溝1bが形成されており、また軸方向に前記アバットメント２の係合用突起2b係合用の凹条溝1a及び埋入用インスツルメント３の係合用埋入突起3b係合用の埋入用凹条溝1bが形成されている部位よりも更に顎骨側に至るアバットメント連結固定用スクリュー（図示せず）が螺着されるメネジ部1cが設けられており、口腔内側の外周には口腔内側端部から円筒カラー部1dと先端が先細りのセルフタッピング式オネジ部1eとこのセルフタッピング式オネジ部1eの先端側外周面に顎骨を切削する２つ以上の切り刃部1fとこの切り刃部1fに続く溝部1gとが設けられている。
【００１３】
この本発明に係るスクリュー型インプラント用フィクスチャー１の口腔内側の内面に形成されている埋入用凹条溝1bとしては、図１及び図２に示すようにアバットメント２との係合用の複数の凹条溝1a間に別途形成されている態様や、図７及び図８に示すようにアバットメント２との係合用の複数の凹条溝1aが設けられている位置よりも口腔内側又は顎骨側に別途形成されている態様があるが、アバットメント２との係合用の複数の凹条溝1aに作用するトルクと埋入用インスツルメント３との係合用の複数の埋入用凹条溝1bに作用するトルクとを比較すると一般に埋入用インスツルメント３との係合用の複数の埋入用凹条溝1bに作用するトルクの方が大きいので、その大きなトルクに対応するように埋入用凹条溝1bはアバットメント２との係合用の複数の凹条溝1aより大きいか又は深いことが好ましい。従って、後者の態様（アバットメント２との係合用の複数の凹条溝1aが設けられている位置よりも口腔内側又は顎骨側に別途形成されている態様）の場合、図７及び図８に示すように埋入用凹条溝1bが口腔内側に形成され、この埋入用凹条溝1bの顎骨側にアバットメント２との係合用の凹条溝1aが形成されており、埋入用凹条溝1bはアバットメント２との係合用の凹条溝1aより大きいか又は深いことが好ましい。
【００１４】
２はスクリュー型インプラント用フィクスチャー１の口腔内側に歯肉を貫通して回転しないように係合される補綴物の支台となるアバットメントであり、その顎骨側にはスクリュー型インプラント用フィクスチャー１の口腔内側に挿入されるように突出部2aが突設されており、その突出部2aの周囲にはスクリュー型インプラント用フィクスチャー１の口腔内側の内面に形成されている複数の凹条溝1aに係合される係合用突起2bが形成されている。
【００１５】
３はスクリュー型インプラント用フィクスチャー１を顎骨に穿設された埋入孔内にネジを切りながら埋入させるための埋入用インスツルメントであり、スクリュー型インプラント用フィクスチャー１の口腔内側の内面に前記アバットメント２との係合用の複数の凹条溝1aとは別に形成されている複数の埋入用凹条溝1bに係合される複数の係合用埋入突起3bがスクリュー型インプラント用フィクスチャー１の口腔内側に挿入される先端部3aの周囲に形成されている。
【００１６】
本発明に係るスクリュー型インプラント用フィクスチャー１を使用して歯科インプラント治療を行うには、先ず患者の欠損歯部の顎骨に埋入孔を穿設し、スクリュー型インプラント用フィクスチャー１の口腔内側の内面に形成されている複数の埋入用凹条溝1bに埋入用インスツルメント３の先端部3aの周囲に形成されている複数の係合用埋入突起3bを係合させた状態で、埋入用インスツルメント３を介してスクリュー型インプラント用フィクスチャー１をその先端側から埋入孔内に回転させて切り刃部1fで顎骨を切削すると共に先細りのセルフタッピング式オネジ部1eでネジを切りながら所定深さまで顎骨内に埋入させるのである。この際、スクリュー型インプラント用フィクスチャー１を顎骨内に埋入させるトルクが大きくスクリュー型インプラント用フィクスチャー１の口腔内側の内面に形成されている埋入用凹条溝1bが変形或いは破損しても、スクリュー型インプラント用フィクスチャー１を所定深さまで顎骨内に埋入できれば、本発明においては問題は生じない。
【００１７】
即ち、スクリュー型インプラント用フィクスチャー１を所定深さまで顎骨内に埋入した後にスクリュー型インプラント用フィクスチャー１の口腔内側に歯肉を貫通して補綴物の支台となるアバットメント２を回転しないように係合させるのであるが、このアバットメント２の係合はスクリュー型インプラント用フィクスチャー１の口腔内側の内面に形成されている埋入用インスツルメント３の先端部3aに形成されている複数の係合用埋入突起3bが係合される複数の埋入用凹条溝1bとは別に形成されている係合用の複数の凹条溝1aにアバットメント２の顎骨側に突設された突出部2aの周囲に形成された係合用突起2bの係合によるため、スクリュー型インプラント用フィクスチャー１の口腔内側の内面に形成されている埋入用凹条溝1bが変形或いは破損しても問題は生じないのである。
【００１８】
かくしてスクリュー型インプラント用フィクスチャー１の口腔内側にアバットメント２を回転しないように係合させた後は、通常の歯科インプラント治療の手順に従って補綴物をアバットメント２の口腔内側に固定すればよいのである。
【図面の簡単な説明】
【００１９】
【図１】本発明に係るスクリュー型インプラント用フィクスチャーの１実施例の断面説明図である。
【図２】図１の平面図である。
【図３】図１に示したスクリュー型インプラント用フィクスチャーの口腔内側に係合せしめられるアバットメントの１実施例を左半分を断面で示す説明図である。
【図４】図３の底面図である。
【図５】図１に示したスクリュー型インプラント用フィクスチャーを顎骨に埋入する埋入用インスツルメントの１実施例の正面図である。
【図６】図５の底面図である。
【図７】本発明に係るスクリュー型インプラント用フィクスチャーの他の実施例の断面説明図である。
【図８】図７の平面図である。
【図９】図７に示したスクリュー型インプラント用フィクスチャーの口腔内側に係合せしめられるアバットメントの１実施例を左半分を断面で示す説明図である。
【図１０】図９の底面図である。
【図１１】図７に示したスクリュー型インプラント用フィクスチャーを顎骨に埋入する埋入用インスツルメントの１実施例の正面図である。
【図１２】図１１の底面図である。
【符号の説明】
【００２０】
１  本発明に係るスクリュー型インプラント用フィクスチャー
1a  アバットメントとの係合用の凹条溝
1b  埋入用凹条溝
1c  メネジ部
1d  円筒カラー部
1e  セルフタッピング式オネジ部
1f  切り刃部
1g  溝部
２  アバットメント
2a  突出部
2b  係合用突起
３  埋入用インスツルメント
3a  先端部
3b  係合用埋入突起
【図１】
2006075427.tif 000003
【図２】
2006075427.tif 000004
【図３】
2006075427.tif 000005
【図４】
2006075427.tif 000006
【図５】
2006075427.tif 000007
【図６】
2006075427.tif 000008
【図７】
2006075427.tif 000009
【図８】
2006075427.tif 000010
【図９】
2006075427.tif 000011
【図１０】
2006075427.tif 000012
【図１１】
2006075427.tif 000013
【図１２】
2006075427.tif 000014